(57)【特許請求の範囲】
【請求項１】
直流電圧を出力するデジタル制御の、複数のスイッチング電源回路、および、これらの個々の直流電圧の生成を制御する電源出力コントローラ、を含むスイッチング電源装置；各スイッチング電源回路の直流電圧の供給を受ける複数の電気負荷；および、前記スイッチング電源回路の少なくとも１つから動作電圧を供給され、外部からの入力に応答して、前記電気負荷のシーケンス駆動による装置動作を開始する装置動作コントローラ；を備える画像形成装置であって、
装置動作コントローラが電源出力コントローラにスイッチング電源回路の１以上の直流電圧の生成開始／停止を指示し、電源出力コントローラが該指示に応答してスイッチング電源回路の直流電圧の生成開始／停止を制御する、画像形成装置。
【請求項２】
前記複数のスイッチング電源回路に給電する元電源のオンに応答して前記電源出力コントローラに給電する初期給電手段；を更に備え、電源出力コントローラは、該初期給電手段より初期給電を受けると、スイッチング電源回路のすべての直流電圧の生成を開始する；請求項１記載の画像形成装置。
【請求項３】
装置動作コントローラは、スイッチング電源回路が与える直流電圧がオフから動作電圧に立上ったときに、前記電気負荷の物理状態もしくは電気負荷によって駆動される物体の位置を、待機時宛てのものとするホーミングを行う、請求項２記載の画像形成装置。
【請求項４】
装置動作コントローラはホーミング終了後は、電力供給が不要な電気負荷に給電するスイッチング電源回路の直流電圧の生成停止を、電源出力コントローラに指示する、請求項３記載の画像形成装置。
【請求項５】
装置動作コントローラがスイッチング電源回路の直流電圧生成の指示を発っしてから、スイッチング電源回路の出力が設定値に立上るまでの遅れ時間データを格納するメモリ；を更に備え、装置動作コントローラは、外部からの入力に応答してスイッチング電源回路の直流電圧生成を電源出力コントローラに指示してから、前記メモリの遅れ時間の経過後に、該スイッチング電源回路から給電される電気負荷の駆動を開始する；請求項１乃至請求項４のいずれかに記載の画像形成装置。
【請求項６】
感光体，これを荷電する帯電器，感光体の帯電面に画像光を露光する露光装置，露光によって生成した静電潜像を顕像にする現像器，該顕像を転写紙に転写する手段，転写紙の顕像を該転写紙に固着する定着装置、および、これらの画像形成要素を駆動する電気アクチュエータおよび電気回路、を含む、請求項１乃至請求項５のいずれかに記載の画像形成装置。
【発明の詳細な説明】
【０００１】
【発明の属する技術分野】
本発明は、直流電圧を出力するデジタル制御の複数の電源回路，各電源回路の直流電圧の供給を受ける複数の電気負荷、および、外部からの入力に応答して電気負荷のシーケンス駆動による装置動作を開始するコントローラ、を備える電気装置に関する。この電気装置の具体例は、これに限定する意図ではないが、複写機，プリンタおよびフアクシミリである。その他にも、コンピュータあるいは電子回路駆動用の低電圧例えば５Ｖおよび電気モータ，ソレノイドなどの電気アクチュエータ又はヒータを付勢する比較的に高い電圧例えば１２Ｖ，２４Ｖ又は３８Ｖを必要とする、多くの電子制御電気機器がある。
【０００２】
【従来技術】
例えば複写機の省電力対策として従来、通常動作時に対して待機時の消費電力を節減するための省電力モードを備えている。省電力モードとは複写機の操作が一定時間無ければ自動的に、システムの状態監視に必要なコントローラへの電力供給のみを残し、このコントローラ以外へは電力供給をオフする状態のことである。状態監視に最低必要なコントローラ以外は、全て電力供給をオフ、また定着ヒータへの電力供給をもＯＦＦ状態にすることで、複写機の待機時における電力消費を、著しく低くしていた。
【０００３】
【発明が解決しようとする課題】
複写機の消費電力の積算値で見ると、待機時における電力消費の占める割合が大きく、待機時における消費電力量を減らすために、前述したような従来の方法が取られているのであるが、しかしながら、まだまだ改善の余地はある。
【０００４】
本発明は、更に消費電力量を節減可能にすることを目的とし、具体的には、待機時の消費電力を減らし更なる省電力化を図ることを目的とする。
【０００５】
【課題を解決するための手段】
（１）直流電圧を出力するデジタル制御の、複数のスイッチング電源回路(PC1〜PC9)、および、これらの個々の直流電圧の生成を制御する電源出力コントローラ(85)、を含むスイッチング電源装置(80dc)；各スイッチング電源回路の直流電圧の供給を受ける複数の電気負荷；および、前記スイッチング電源回路の少なくとも１つ(PC1)から動作電圧を供給され、外部からの入力に応答して、前記電気負荷のシーケンス駆動による装置動作を開始する装置動作コントローラ(60)；を備える画像形成装置であって、
装置動作コントローラ(60)が電源出力コントローラ(85)にスイッチング電源回路(PC1〜PC9)の１以上(PC2〜PC9)の直流電圧の生成開始／停止を指示し、電源出力コントローラ(85)が該指示に応答してスイッチング電源回路(PC2〜PC9)の直流電圧の生成開始／停止を制御する、画像形成装置。
【０００６】
なお、理解を容易にするためにカッコ内には、図面に示し後述する実施例の対応要素の又は相当要素の記号を、参考までに付記した。以下も同様である。
【０００７】
これによれば、スイッチング電源回路(PC2〜PC9)内にて個々の直流電圧を、生成開始／停止すなわち生成段階でＯＮ／ＯＦＦ、するので、不要な電力を電源回路(PC2〜PC9)で生じないようにすることができ、省電力を図る効果がある。電力消費の積算値が更に少ない電気装置例えばプリンタあるいは複写機を実現出来る。
【０００８】
【発明の実施の形態】
（２）前記複数のスイッチング電源回路(PC1〜PC9)に給電する元電源(AC)のオンに応答して前記電源出力コントローラ(85)に給電する初期給電手段(RA1,83, 84)；を更に備え、電源出力コントローラ(85)は、該初期給電手段より初期給電を受けると、スイッチング電源回路のすべての直流電圧の生成を開始する。
【０００９】
これによれば、元電源(AC)がオンになると、初期給電手段(RA1,83, 84)が電源出力コントローラ(85)に給電する。すなわち電源出力コントローラ(85)の電源が入る。そして、電源出力コントローラ(85)がスイッチング電源回路(PC1〜PC9)のすべての直流電圧の生成を開始するので、電気負荷のすべての駆動が可能となる。
【００１０】
（３）装置動作コントローラ(60)は、スイッチング電源回路(PC1)が与える直流電圧がオフから動作電圧に立上ったときに、前記電気負荷の物理状態もしくは電気負荷によって駆動される物体の位置を、待機時宛てのものとするホーミングを行う、上記（２）の画像形成装置。
【００１１】
これによれば、元電源(AC)のＯＮ直後は全ての直流電圧を生成し、直流電圧を供給して各部のホーミング動作が行なわれる。ホーミング動作終了後は、仮に電力供給不要な各部への給電を遮断しても、次に稼動を求められた時点においてそれから電力の供給を行っても、正しい位置から正しい処理を問題無く行うことができる。
【００１２】
（４）装置動作コントローラ(60)はホーミング終了後は、電力供給が不要な電気負荷に給電するスイッチング電源回路(PC6〜PC9)の直流電圧の生成停止を、電源出力コントローラ(85)に指示する、上記（３）の画像形成装置。
【００１３】
ホーミング動作終了後は、電力供給不要な各部の電力を一時遮断するので、次に稼動を求められた時点において、それから電力の供給を行っても、正しい位置から正しい処理を問題無く行うことができる。
【００１４】
（５）装置動作コントローラ(60)がスイッチング電源回路(PC9)の直流電圧生成の指示を発っしてから、スイッチング電源回路(PC9)の出力が設定値に立上るまでの遅れ時間データを格納するメモリ(60)；を更に備え、装置動作コントローラ(60)は、外部からの入力に応答してスイッチング電源回路(PC9)の直流電圧生成を電源出力コントローラ(85)に指示してから、前記メモリ(60)の遅れ時間の経過後に、該スイッチング電源回路(PC9)から給電される電気負荷の駆動を開始する；上記（１）乃至（４）のいずれかに記載の画像形成装置。
【００１５】
（６）感光体(114)，これを荷電する帯電器(119)，感光体の帯電面に画像光を露光する露光装置(141-146)，露光によって生成した静電潜像を顕像にする現像器(120)，該顕像を転写紙に転写する手段(115,116, 117)，転写紙の顕像を該転写紙に固着する定着装置(123)、および、これらの画像形成要素を駆動する電気アクチュエータおよび電気回路(4)、を含む、上記（１）乃至（５）に記載の画像形成装置。
【００１６】
これによれば、上記（１）乃至（５）に記載の作用効果がある画像形成装置(プリンタ100)が実現する。
【００１７】
（７）更に、原稿の画像を読み取る画像スキャナ(10)を備える、上記（６）記載の画像形成装置。
【００１８】
これによれば、上記（１）乃至（５）に記載の作用効果がある画像形成装置(複写機図１)が実現する。
【００１９】
本発明の他の目的および特徴は、図面を参照した以下の実施例の説明より明らかになろう。
【００２０】
【実施例】
図１に本発明の１実施例であるデジタル複写機の外観を示す。このデジタル複写機は、大略で、自動原稿送り装置〔ＡＤＦ〕３０と、操作部２０と、カラースキャナ１０と、カラープリンタ１００と、中継ユニット３２と、ステープラ及び作像された用紙を大量に積載可能なシフトトレイ付きのフィニッシャ３４と、両面反転ユニット３３と、給紙バンク３５と、大容量給紙トレイ３６及び１ビン排紙トレイ３１、の各ユニットで構成されている。
【００２１】
図２に、カラープリンタ１００の構成を示す。露光手段としての書き込み光学ユニットは、スキャナ１０からのカラー画像データを光信号に変換して、原稿画像に対応した光書き込みを行い、感光体ドラム１１４に静電潜像を形成する。光書き込み光学ユニットは、レーザー発光器１４１、これを発光駆動する発光駆動制御部（図示省略）、ポリゴンミラー１４３、これを回転駆動する回転用モータ１４４、ｆθレンズ１４２、反射ミラー１４６などで構成されている。感光体ドラム１１４は、矢印で示す如く反時計廻りの向きに回転するが、その周りには、感光体クリーニングユニット１２１、除電ランプ１１４Ｍ、帯電器１１９、感光体ドラム上の潜像電位を検知する電位センサー１１４Ｄ、リボルバー現像装置１２０の選択された現像器、現像濃度パターン検知器１１４Ｐ、中間転写ベルト１１５などが配置されている。
【００２２】
リボルバー現像装置１２０は、ＢＫ現像器１２０Ｋ、Ｃ現像器１２０Ｃ、Ｍ現像器１２０Ｍ、Ｙ現像器１２０Ｙと、各現像器を矢印で示す如く反時計回りの向きに回転させる、リボルバー回転駆動部（図示省略）などからなる。これら各現像器は、静電潜像を顕像化するために、現像剤の穂を感光体ドラム１１４の表面に接触させて回転する現像スリーブ１２０ＫＳ、１２０ＣＳ、１２０ＭＳ、１２０ＹＳと、現像剤を汲み上げ撹拌するために回転する現像パドルなどで構成されている。待機状態では、リボルバー現像装置１２０はＢＫ現像器１２０で現像を行う位置にセットされており、コピー動作が開始されると、スキャナ１０で所定のタイミングからＢＫ画像データの読み取りがスタートし、この画像データに基づき、レーザー光による光書き込み・潜像形成が始まる。以下、Ｂｋ画像データによる静電潜像をＢｋ潜像という。Ｃ、Ｍ、Ｙの各画像データについても同じ。このＢｋ潜像の先端部から現像可能とすべく、Ｂｋ現像器１２０Ｋの現像位置に潜像先端部が到達する前に、現像スリーブ１２０ＫＳを回転開始して、Ｂｋ潜像をＢｋトナーで現像する。そして、以後、Ｂｋ潜像領域の現像動作を続けるが、潜像後端部がＢｋ潜像位置を通過した時点で、速やかに、Ｂｋ現像器１２０Ｋによる現像位置から次の色の現像器による現像位置まで、リボルバー現像装置１２０を駆動して回動させる。この回動動作は、少なくとも、次の画像データによる潜像先端部が到達する前に完了させる。
【００２３】
像の形成サイクルが開始されると、感光体ドラム１１４は矢印で示すように反時計廻りの向きに回動し、中間転写ベルト１１５は図示しない駆動モータにより、時計廻りの向きに回動する。中間転写ベルト１１５の回動に伴って、ＢＫトナー像形成、Ｃトナー像形成、Ｍトナー像形成およびＹトナー像形成が順次行われ、最終的に、ＢＫ、Ｃ、Ｍ、Ｙの順に中間転写ベルト１１５上に重ねてトナー像が形成される。ＢＫ像の形成は、以下のようにして行われる。すなわち、帯電器１１９がコロナ放電によって、感光体ドラム１１４を負電荷で約−７００Ｖに一様に帯電する。つづいて、レーザダイオード１４１は、Ｂｋ信号に基づいてラスタ露光を行う。このようにラスタ像が露光されたとき、当初、一様に荷電された感光体ドラム１１４の露光された部分については、露光光量に比例する電荷が消失し、静電潜像が形成される。リボルバー現像装置１２０内のトナーは、フェライトキャリアとの撹拌によって負極性に帯電され、また、本現像装置のＢＫ現像スリーブ１２０ＫＳは、感光体ドラム１１４の金属基体層に対して図示しない電源回路によって、負の直流電位と交流とが重畳された電位にバイアスされている。この結果、感光体ドラム１１４の電荷が残っている部分には、トナーが付着せず、電荷のない部分、つまり、露光された部分にはＢｋトナーが吸着され、潜像と相似なＢｋ可視像が形成される。中間転写ベルト１１５は、駆動ローラ１１５Ｄ、転写対向ローラ１１５Ｔ、クリーニング対向ローラ１１５Ｃおよび従動ローラ群に張架されており、図示しない駆動モータにより回動駆動される。さて、感光体ドラム１１４上に形成したＢｋトナー像は、感光体と接触状態で等速駆動している中間転写ベルト１１５の表面に、ベルト転写コロナ放電器（以下、ベルト転写部という。）１１６によって転写される。以下、感光体ドラム１１４から中間転写ベルト１１５へのトナー像転写を、ベルト転写と称する。感光体ドラム１１４上の若干の未転写残留トナーは、感光体ドラム１１４の再使用に備えて、感光体クリーニングユニット１２１で清掃される。ここで回収されたトナーは、回収パイプを経由して図示しない排トナータンクに蓄えられる。
【００２４】
なお、中間転写ベルト１１５には、感光体ドラム１１４に順次形成する、Ｂｋ、Ｃ、Ｍ、Ｙのトナー像を、同一面に順次、位置合わせして、４色重ねのベルト転写画像を形成し、その後、転写紙にコロナ放電転写器にて一括転写を行う。ところで、感光体ドラム１１４側では、ＢＫ画像の形成工程のつぎに、Ｃ画像の形成工程に進むが、所定のタイミングから、スキャナ１０によるＣ画像データの読み取りが始まり、その画像データによるレーザー光書き込みで、Ｃ潜像の形成を行う。Ｃ現像器１２０Ｃは、その現像位置に対して、先のＢｋ潜像後端部が通過した後で、かつ、Ｃ潜像先端が到達する前に、リボルバー現像装置の回転動作を行い、Ｃ潜像をＣトナーで現像する。以降、Ｃ潜像領域の現像をつづけるが、潜像後端部が通過した時点で、先のＢｋ現像器の場合と同様にリボルバー現像装置１２０を駆動して、Ｃ現像器１２０Ｃを送り出し、つぎのＭ現像器１２０Ｍを現像位置に位置させる。この動作もやはり、つぎのＭ潜像先端部が現像部に到達する前に行う。なお、ＭおよびＹの各像の形成工程については、それぞれの画像データの読み取り、潜像形成、現像の動作が、上述のＢｋ像や、Ｃ像の工程に準ずるので、説明は省略する。
【００２５】
ベルトクリーニング装置１１５Ｕは、入口シール、ゴムブレード、排出コイルおよび、これら入口シールやゴムブレードの接離機構により構成される。１色目のＢｋ画像をベルト転写した後の、２、３、４色目を画像をベルト転写している間は、ブレード接離機構によって、中間転写ベルト面から入口シール、ゴムブレードなどは離間させておく。
【００２６】
紙転写コロナ放電器（以下、紙転写器という。）１１７は、中間転写ベルト１１５上の重ねトナー像を転写紙に転写するべく、コロナ放電方式にて、ＡＣ＋ＤＣまたは、ＤＣ成分を転写紙および中間転写ベルトに印加するものである。
【００２７】
転写紙カセット１８２Ｅおよび給紙バンク３５には、各種サイズの転写紙が収納されており、指定されたサイズの用紙を収納しているカセットから、給紙コロ１８３Ｅ等によってレジストローラ対１１８Ｒ方向に給紙・搬送される。なお、符号１１２Ｂ２は、ＯＨＰ用紙や厚紙などを手差しするための給紙トレイを示している。像形成が開始される時期に、転写紙は前記いずれかの給紙トレイから給送され、レジストローラ対４１８Ｒのニップ部にて待機している。そして、紙転写器１１７に中間転写ベルト１１５上のトナー像の先端がさしかかるときに、丁度、転写紙先端がこの像の先端に一致する如くにレジストローラ対１１８Ｒが駆動され、紙と像との合わせが行われる。このようにして、転写紙が中間転写ベルト上の色重ね像と重ねられて、正電位につながれた紙転写器１１７の上を通過する。このとき、コロナ放電電流で転写紙が正電荷で荷電され、トナー画像の殆どが転写紙上に転写される。つづいて、紙転写器１１７の左側に配置した図示しない除電ブラシによる分離除電器を通過するときに、転写紙は除電され、中間転写ベルト１１５から剥離されて紙搬送ベルト１２２に移る。中間転写ベルト面から４色重ねトナー像を一括転写された転写紙は、紙搬送ベルト１２２で定着器１２３に搬送され、所定温度にコントロールされた定着ローラ１２３Ａと加圧ローラ１２３Ｂのニップ部でトナー像を溶融定着され、排出ロール対１２４で本体外に送り出され、図示省略のコピートレイに表向きにスタックされる。
【００２８】
定着ローラ１２３Ａの内部には、定着ヒータ（ハロゲンランプ）１２３Ｃがあり、この定着ヒータ１２３Ｃに、定着通電回路８５（図４）が通電し、これにより定着ヒータ１２３Ｃが発熱し且つ赤外線を発生して、定着ローラ１２３Ｃを加熱する。
【００２９】
なお、ベルト転写後の感光体ドラム１１４は、ブラシローラ、ゴムブレードなどからなる感光体クリーニングユニット１２１で表面をクリーニングされ、また、除電ランプ１１４Ｍで均一除電される。また、転写紙にトナー像を転写した後の中間転写ベルト１１５は、再び、クリーニングユニット１１５Ｕのブレード接離機構でブレードを押圧して表面をクリーニングする。リピートコピーの場合には、スキャナの動作および感光体への画像形成は、１枚目の４色目画像工程にひきつづき、所定のタイミングで２枚目の１色目画像工程に進む。中間転写ベルト１１５の方は、１枚目の４色重ね画像の転写紙への一括転写工程にひきつづき、表面をベルトクリーニング装置でクリーニングされた領域に、２枚目のＢｋトナー像がベルト転写されるようにする。その後は、１枚目と同様動作になる。
【００３０】
図３に、図１に示す複写機の電気系システムの概要を示す。複写機メカ制御部すなわち画像読取りおよび画像形成プロセス制御の主要部に、メイン制御板５０上の１つのＭＰＵ５１と、スキャナ制御板１１上の１つのＣＰＵ１２が用いられている。ＭＰＵ５１は作像シーケンスおよび定着制御とシステム関係の制御を、ＣＰＵ１２はスキャナ関係の制御をそれぞれ行う。ＭＰＵ５１とＣＰＵ１２とは、画像データインターフェース及びシリアルインターフエースによって接続されている。
【００３１】
また、図３において、２０は操作部、７０はＩ／Ｏ制御板、９２は画像露光用のレーザ光を制御するＬＤ制御板、４１は給紙制御板、１３はＣＣＤを搭載する読み取り制御板、９０はマザーボード、６０，９１は、複合機能を実現するためのアプリケーション拡張ユニットで、９１は、ＦＡＸ機能を搭載したファクシミリ制御ユニット、６０は、パソコン，ワープロなどホストのドキュメントを印刷するプリンタ機能及びコピー，ファクシミリ，プリンタの複合動作モードを制御するためのプリンタコントローラ（ボード）である。８０は電源装置である。
【００３２】
ＤＣ電源／ＡＣ制御板８０上には、数種の電圧値の直流電圧を発生するスイッチング電源部８０ｄｃと、定着ヒータに商用交流を通電し定着温度を制御するヒータ通電回路（交流出力）がある。
【００３３】
図４にＤＣ電源／ＡＣ制御板８０上の、スイッチング電源部８０ｄｃの概要とそれによって給電される電気負荷の概要を示す。スイッチング電源部８０ｄｃは、図示しない元電源スイッチ（交流入力スイッチ）の閉（オン）によって給電される交流ＡＣのノイズを除去するフィルタ８１と、交流電圧を整流平滑する整流平滑回路８２、直流電圧の生成を行う各直流電圧生成部ＰＣ１〜ＰＣ９と、各直流電圧生成部の電圧生成（生成／停止および出力電力）を制御するデジタルコントローラ（デジタルシグナルプロセッサーＤＳＰを用いた）８５、元電源スイッチが開（ＯＦＦ）から閉（ＯＮ）に切換えられて交流電源ＡＣがスイッチング電源部８０ｄｃに印加され整流平滑回路８２に直流電圧が表れるとＯＮされてバッテリ８４をＤＳＰ８５に印加するスイッチ回路（ＳＷ）８３、このスイッチ回路８３がＯＮすると、ＤＳＰ８５に必要な電源電圧を供給するバッテリ８４よりなる。
【００３４】
各直流電圧生成部ＰＣ１〜ＰＣ９は、スキャナモータ、ＡＤＦ（原稿自動送り装置）などの負荷につながり、各負荷に必要な電圧を供給する。スイッチング電源部８０ｄｃのＤＳＰ８５は、マザーボード９０に搭載のプリンタコントローラ６０とＵＡＲＴ（ユニバーサル・アシンクロナス・レシーバ・トランスミッタ：シリアル通信）による通信を行う。図示しないが、プリンタコントローラ９０は、ＣＰＵ，不揮発性メモリ，ＲＯＭ，ＲＡＭおよび画像メモリを含むコンピュータシステムである。
【００３５】
図５に、スイッチング電源部８０ｄｃの、スイッチ回路８３と、５Ｖ生成部  ＰＣ１の構成を示す。１００Ｖ商用交流電圧が、図示しない元電源スイッチのオンにより、交流入力端子ＩＮ１，ＩＮ２からノイズフィルタ８１を通して整流平滑回路８２に印加される。ノイズフィルタ８１は、１００Ｖ商用交流ラインの高周波ノイズがスイッチング電源部８０ｄｃの内部に入るのを遮断し、しかもスイッチング電源部８０ｄｃが発生する高周波ノイズが商用交流ラインに漏出するのを防ぐ入力フィルタがある。交流電圧はこの入力フィルタを通して、全波整流ダイオードブリッジと平滑コンデンサで構成される整流平滑回路８２に印加される。
【００３６】
また、交流電圧は抵抗Ｒ１とリレーＲＡ１からなる起動回路にも加わる。交流電圧が加わると、リレーＲＡ１の、スイッチ回路（ＳＷ）８３のダイオードＤ４とＤＳＰ８５の動作電圧入力端Ｖｃｃの間に介挿したリレー接点をリレー接片ＲＡ１で閉じる。ダイオードＤ４はバッテリ８４に接続しているので、バッテリ電圧がＤＳＰ８５に加わり、これによりＤＳＰ８５が起動して、５Ｖ生成部ＰＣ１乃至３８Ｖ生成部ＰＣ９に、それぞれ第１〜第９のＰＷＭパルスを出力する。
【００３７】
これにより、５Ｖ生成部ＰＣ１乃至３８Ｖ生成部ＰＣ９のすべてが動作状態になり、図４上に示した各直流電圧を発生する。以下、５Ｖ生成部ＰＣ１を例にして説明する。
【００３８】
整流平滑回路８２の出力直流電圧は、５Ｖ生成部ＰＣ１の中のトランスＴＲ１の１次巻線に印加される。スイッチング素子であるＦＥＴ１がオンになると、整流平滑回路８２から、１次巻線，スイッチング素子ＦＥＴ１ならびに電流値検出回路ＩＳＥＮ１介して、１次側グランドに電流が流れる。
【００３９】
電流値検出回路ＩＳＥＮ１では、ＦＥＴ１に流れる電流が、電流検出用の抵抗に流れその抵抗の電圧が、１次電流に比例する。この電圧が、１次電流検出信号であり、電流値検出回路ＩＳＥＮ１は、この検出信号が設定レベルを超えると、過電流を示す信号を発生してＤＳＰ８５に与える。ＤＳＰ８５はこれに応答してＦＥＴ１をオフにする。そして、次のＰＷＭパルス出力周期になると、ＦＥＴ１をオンにする。すなわち新たなＰＷＭパルスの出力を開始する。
【００４０】
ドライブ回路ＤＲＩＶ１は、ＤＳＰ８５のスイッチングＯＮ／ＯＦＦ信号である第１のＰＷＭパルスを出力するＰＷＭ出力ポートにつながっている。ＤＲＩＶ１，トランスＴＲ１およびスイッチング素子ＦＥＴ１によって、１次側スイッチ回路が構成され、整流平滑回路８２の出力電圧をＰＷＭパルスに応答したスイッチングによりチョッピングして、トランスＴＲ１の１次巻線にパルス通電する。
【００４１】
トランスＴＲ１の２次側には、２次巻線に誘起したパルス状電圧を直流に変換して出力する出力回路がある。出力回路は、ダイオードＤ１，Ｄ２、チョークコイルＣＨ１、２次側の過電流を検出する２次側過電流検出回路ＩＳＥＮ２、出力電圧検出回路ＶＳＥＮ１および平滑コンデンサにより構成される。
【００４２】
２次側過電流検出回路ＩＳＥＮ２は、５Ｖ生成部ＰＣ１の出力回路に流れる電流を、その大小に応じた電圧（２次電流検出信号）に変換して出力するよう構成され、ＩＳＥＮ２から出力された電圧（２次電流検出信号）は、ＤＳＰ８５のＡ／Ｄ変換入力ポートに印加する。ＤＳＰ８５は、２次側過電流検出回路ＩＳＥＮ２が過電流を検出すると、あるいは出力電圧検出回路ＶＳＥＮ１が過電圧を検出すると、ＦＥＴ１をオフにしかつＰＷＭパルス出力をとめる。
【００４３】
他の各値電圧を生成する回路ＰＣ２〜ＰＣ９の構成および動作、ならびにそれらに対するＤＳＰ８５の制御動作も同様である。しかし、生成回路の電力容量が大きい生成回路は、スイッチング素子ＦＥＴが複数個並列接続で用いられるとか、回路の温度保護用のサーミスタを付加してその電圧（温度）をＤＳＰ８５に与えて、ＤＳＰ８５で温度異常を監視するなどが行われる。
【００４４】
次に、プリンタコントローラ６０による、直流電源出力制御を説明する。なお、プリンタコントローラ６０，Ｉ／Ｏ制御板７０およびメイン制御板５０の、省エネ待機モードでも入力監視をするＣＰＵおよびＭＰＵ、ならびに省エネ待機モードで外部入力信号を発生する回路には、５Ｖ生成部ＰＣ１が給電する。
【００４５】
図６に、元電源スイッチがＯＦＦからＯＮに切換えられたことにより、全生成部ＰＣ１〜ＰＣ９の出力が各所定の電圧以上に立上った時の、第１生成部ＰＣ１の電圧立ち上がりに応答した、プリンタコントローラ６０の制御動作を示す。
【００４６】
複写機の元電源スイッチがＯＮされると、スイッチング電源部８０ｄｃに交流電源ＡＣが入力する。交流電源はノイズ８１をフィルタを通り、整流平滑回路８２にて全波整流され、その出力電圧が設定値を越えたとき、電気リレーコイルＲＡ１に流れる電流により、スイッチ回路８３のリレー接片ＲＡ１が閉じる。
【００４７】
これによりバッテリ８４に溜まっている電圧がＤＳＰ８５に供給され、ＤＳＰ８５が起動する。ＤＳＰ８５はまず５Ｖ生成部ＰＣ１へのＰＷＭパルス出力を開始し、これにより５Ｖ生成部ＰＣ１が５Ｖ電圧を生成する。生成された５Ｖ電圧は、プリンタコントローラ６０，Ｉ／Ｏ制御板７０およびメイン制御板５０の、省エネ待機モードでも入力監視をするＣＰＵおよびＭＰＵ、ならびに省エネ待機モードで外部入力信号を発生する回路に印加される。トランスＴＲ１の１次巻線がＰＷＭパルスに応答ＦＥＴ１のオン／オフで励振され、これによりスイッチ回路８３がつながった３次巻線が電圧を誘起し、これがダイオードＤ３で整流されてコンデンサＣ２で平滑化され、定電圧回路ＣＶ１で定電圧化されて、ダイオードＤ５を通して、ＤＳＰの駆動用電圧を補充する。
【００４８】
図６を参照すると、５Ｖ生成部ＰＣ１の出力が、０Ｖから５Ｖに立ち上がったのに応答して、プリンタコントローラ６０のＣＰＵが起動し、図６のフローチャートに示す流れで、プリンタコントローラ６０のＣＰＵがＵＡＲＴ通信により、ＤＳＰ８５に全ての直流電圧の生成（ＰＣ１〜ＰＣ９）をＯＮするよう指令する。指令を受けＤＳＰ８５は、全ての直流電圧の生成部（ＰＣ１〜ＰＣ９）をＯＮする。ここで第１の生成部ＰＣ１のＯＮは、元電源スイッチのオン応答の起動動作から、プリンタコントローラ６０のＣＰＵの指令（制御）に従うＤＳＰ８５の電源出力制御の開始を意味する。
【００４９】
全ての生成部ＰＣ１〜ＰＣ９が立ち上がると、すなわち各出力電圧が各設定値以上になると、ＤＳＰ８５は、プリンタコントローラ６０のＣＰＵに、直流電圧が立ち上がった旨（レディ）をＵＡＲＴ通信により伝達する。以上が図６のステップ１の内容である。
【００５０】
プリンタコントローラ６０のＣＰＵは複写機の各部位に、スキャナ位置、ＦＩＮ（フィニッシャー）のトレイ位置などホーミング位置調整のホーミング動作実行を指示する（ステップ２）。なお、以下においてカッコ内には、ステップという語を省略して、ステップＮｏ．数字のみを記す。
【００５１】
ホーミング動作が終了すれば、プリンタコントローラ６０のＣＰＵは、省電力レベル２が設定されているかどうかを調べ（３）、設定されていれば、生成不要な直流電圧である、図４上で２点鎖線で囲んだ２４Ｖ生成部ＰＣ６，２４Ｖ生成部ＰＣ７，３８Ｖ生成部ＰＣ８および３８Ｖ生成部ＰＣ９の直流電圧生成を停止するよう、ＤＳＰ８５に指令する。これを受け、ＤＳＰ８５は上記生成部ＰＣ６〜ＰＣ９の電圧生成制御を停止する（４）。これは、これらの生成部ＰＣ６〜ＰＣ９へのＰＷＭパルス出力ポートを、ＦＥＴオフ指示レベルに開放し、かつ、それらへのＰＷＭパルス出力を停止することにより行う。これにより、生成部ＰＣ６〜ＰＣ９の内部における電力消費も実質上なくなる。
【００５２】
以降は、複写機の通常処理（５）を行う。通常の複写機動作は公知であるので説明を省略する。この通常処理（５）で、公知であるが、複写又はプリント指示がなく、操作部２０に操作がなく設定時間が経過すると、プリンタコントローラ６０のＣＰＵは、省エネ待機モードを設定する。この実施例では、更に、生成部ＰＣ２〜ＰＣ５の直流電圧生成を停止するよう、ＤＳＰ８５に指令する。これを受け、ＤＳＰ８５が上記生成部ＰＣ２〜ＰＣ５の電圧生成制御を停止する。これにより、生成部ＰＣ２〜ＰＣ５の内部における電力消費も実質上なくなる。
【００５３】
次に図７を参照する。複写機のウォーミングアップが終了し、コピー可の状態にて、スキャン設定がされれば、例えばフロントガラスに原稿が置かれ、コピースタートキーが押下されれば、プリンタコントローラ６０のＣＰＵは、スキャン設定がなされたと判断し、３８Ｖ生成部ＰＣ９の直流電圧生成ＯＮをＤＳＰ８５に指令する（１１，１２）。これを受け、ＤＳＰ８５は３８Ｖ生成部ＰＣ９へのＰＷＭパルス出力を開始し、３８Ｖ生成部ＰＣ９がスキャナモータのモータドライバに３８Ｖ電圧を供給する。プリンタコントローラ６０のＣＰＵは、プリンタコントローラ６０の内部の不揮発性メモリに持っている３８Ｖ生成部ＰＣ９の３８Ｖ電圧が立ち上がるまでの遅延時間データを基に、３８Ｖ生成部ＰＣ９のＯＮ指令を発してから該遅延時間データ分の時間が過ぎるまで、クロックパルスをカウントする。すなわち計時を行う。該遅延時間が過ぎれば、スキャナスタート可の指令を、スキャナ制御板１１上のモータコントロールユニットに指令する。
【００５４】
原稿をスキャンし終わり、スキャナー動作が不要になれば、不要になった時点にてプリンタコントローラ６０のＣＰＵは、３８Ｖ生成部ＰＣ９の３８Ｖ電圧生成を停止するようＤＳＰ８５に指令する（１３，１４）。ＤＳＰ８５は３８Ｖ生成部ＰＣ９の３８Ｖ電圧生成制御を停止する。プリンタコントローラ６０のＣＰＵは、以降は、複写機の通常処理を行う。
【００５５】
図８を参照する。同様に、ＡＤＦ（自動原稿送り装置）３０に原稿がセットされ、コピースタートキーが押下されれば、ＡＤＦ設定がなされたと判断し、プリンタコントローラ６０のＣＰＵは、３８Ｖ生成部ＰＣ８と２４Ｖ電圧生成部ＰＣ７の電圧生成を行うよう指令する（２１，２２）。これを受け、ＤＳＰ８５は、３８Ｖ電圧と２４Ｖ電圧を生成制御する。これにより３８Ｖ電圧と２４Ｖ電圧がＡＤＦ３０に供給される。
【００５６】
プリンタコントローラ６０のＣＰＵは、コントローラ６０内の不揮発性メモリに持っている３８Ｖ生成部ＰＣ８の３８Ｖ電圧と２４Ｖ生成部ＰＣ７の２４Ｖ電圧の立ち上がりがともに完了するまでの遅延時間データを基に、ＯＮ指令発してから遅延時間データ分の時間が過ぎるまで計時する。過ぎれば、ＡＤＦ動作可の指令をＡＤＦ３０に与える。
【００５７】
ＡＤＦ３０に原稿がセットされ、コピースタートキーが押下されたときは、スキャナーも同時に動くことになるので、スキャン設定も同時に行われる。スキャン設定時の動作は上記のとおりであるので、ここでの説明は省略する。
【００５８】
ＡＤＦにセットされた原稿を全て送り終われば、ＡＤＦ非設定の状態になり、プリンタコントローラ６０のＣＰＵは、３８Ｖ生成部ＰＣ８と２４Ｖ電圧生成部ＰＣ７の電圧生成を停止するようＤＳＰ８５に指令する（２３，２４）。これを受け、ＤＳＰ８５は、３８Ｖ電圧と２４Ｖ電圧の生成制御を停止する。すなわち、ＡＤＦ３０への給電を止める。
【００５９】
次に図９を参照する。また、ＦＩＮ（フィニッシャー）使用時も同様である。周辺機のＦＩＮが複写機本体に接続され、排紙が行われるとき、ＦＩＮ設定をプリンタコントローラ６０のＣＰＵが判断する。以降の処理はスキャン設定、ＡＤＦ設定と同様である。
【００６０】
本実施例の複写機は省電力モード１を持っている。これは、複写機を長時間使用しないとき、５Ｖ生成部ＰＣ１の５Ｖ電圧のみを残して、他の直流電圧は出力をオフし、また図示しないが定着ヒータへの交流電源供給をオフして、低消費電力状態を実現させるモードである。この省電力モード１は複写機の操作を、あらかじめ設定した時間以上行わないとき、自動的に移行する。または、操作部２０にある電源サブキーを数秒押下すれば移行する。１の解除には、電源サブキーを数秒押下する。
【００６１】
図１０に、省電力モード１の設定／解除に対応するプリンタコントローラ６０のＣＰＵの電源制御を示す。複写機不使用のまま設定時間が経過すると、あるいは電源サブキーにより省電力モードへの移行指示があると、プリンタコントローラ６０のＣＰＵは、省電力モード１を設定して、ＤＳＰ８５に５Ｖ生成部ＰＣ１以外の、直流電圧生成（ＰＣ２〜ＰＣ９）を停止するよう指令する（４１，４２）。省電力モード１を設定しているときに、電源サブキーが数秒押下され、あるいは、複写機に対するオペレータの操作又はホスト（パソコン）からのプリント指令があると、プリンタコントローラ６０のＣＰＵは、省電力モード１を解除して、ＤＳＰ８５に、生成部ＰＣ２〜ＰＣ５の直流電圧生成を指令する（４３，４４）。
【００６２】
【発明の効果】
スイッチング電源回路内にて個々の直流電圧を生成段階でＯＮ／ＯＦＦするので、不要な電力を電源回路で生じないようにすることができ、省電力を図る効果がある。電力消費の積算値が更に少ない電気装置例えばプリンタあるいは複写機を実現出来る。
【図面の簡単な説明】
【図１】  本発明の一実施例であるカラー複写機の外観を示す正面図である。
【図２】  図１に示すカラープリンタ１００の内部機構の概要を示す縦断面図である。
【図３】  図１に示す複写機の電気系統のシステム構成を示すブロック図である。
【図４】  図３に示すＤＣ電源／ＡＣ制御板８０上の、スイッチング電源部８０ｄｃの概要を示すブロック図である。
【図５】  図４に示す５Ｖ生成部ＰＣ１およびスイッチ回路８３の電気回路の概要を示すブロック図である。
【図６】  図３および図４に示すプリンタコントローラ６０のＣＰＵの、ＤＳＰ８５に対する、直流電圧出力のＯＮ／ＯＦＦ制御の第一部分を示すフローチャートである。
【図７】  プリンタコントローラ６０のＣＰＵの、ＤＳＰ８５に対する、直流電圧出力のＯＮ／ＯＦＦ制御の第二部分を示すフローチャートである。
【図８】  プリンタコントローラ６０のＣＰＵの、ＤＳＰ８５に対する、直流電圧出力のＯＮ／ＯＦＦ制御の第三部分を示すフローチャートである。
【図９】  プリンタコントローラ６０のＣＰＵの、ＤＳＰ８５に対する、直流電圧出力のＯＮ／ＯＦＦ制御の第四部分を示すフローチャートである。
【図１０】  プリンタコントローラ６０のＣＰＵの、ＤＳＰ８５に対する、直流電圧出力のＯＮ／ＯＦＦ制御の第五部分を示すフローチャートである。
【符号の説明】
３５：給紙バンク  ３６：大量給紙トレイ
１１４：感光体    １１５：中間転写ベルト
１１６，１１７：転写チャージャ
１１９：帯電チャージャ
１２０：現像器    １２３：定着装置
１４３：ポリゴンミラー
ＲＡ１：電気リレーの電気コイル，リレー接片
ＤＲＩＶ１：スイッチングドライバ
ＩＳＥＮ１，２：電流検出回路
ＶＳＥＮ１：電圧検出回路
ＣＶ１：定電圧回路
【図１】
0004293568.tif 000002
【図２】
0004293568.tif 000003
【図３】
0004293568.tif 000004
【図４】
0004293568.tif 000005
【図５】
0004293568.tif 000006
【図６】
0004293568.tif 000007
【図７】
0004293568.tif 000008
【図８】
0004293568.tif 000009
【図９】
0004293568.tif 000010
【図１０】
0004293568.tif 000011